(57)【要約】  本発明は、少なくとも一つの光源を有する発光デバイス30と、当該発光デバイス30に取り付けられた光学デバイス20と、発光デバイス30及び光学デバイス20の間にある少なくとも一つの第1の磁性素子25と、を有する照明エンジン40に関する。本発明はまた、前記照明エンジン40と、当該照明エンジン40を支持するよう配置された支持保持具50とを有する照明デバイス10にも関する。照明エンジン40を支持保持具50へと磁気的に取り付けるために、上記照明デバイスは、磁性体であって、照明エンジン40の少なくとも一つの第1の磁性素子25と当該磁性体とが互いに磁気的に引きつけあうよう適応された磁性体を有する。
2013516729.tif 000002
【特許請求の範囲】
【請求項１】
少なくとも一つの光源を有する発光デバイスと、
前記発光デバイスに接続された光学デバイスと、
前記発光デバイスと前記光学デバイスとの間の少なくとも一つの第1の磁性素子と、
を有する、照明エンジン。
【請求項２】
前記少なくとも一つの第1の磁性素子が、前記発光デバイスと前記光学デバイスとの間に保持される、請求項１に記載の照明エンジン。
【請求項３】
前記第1の磁性素子が、永久磁石及び/又は軟磁性体から作られている、請求項１に記載の照明エンジン。
【請求項４】
前記光学デバイス及び/又は前記発光デバイスが、前記第1の磁性素子が収容される少なくとも一つの開放された空洞を有する、請求項１に記載の照明エンジン。
【請求項５】
前記発光デバイスが主表面上に延在し、当該主表面上にある前記第1の磁性素子の各々の直行射影が、各々の光源からオフセットされている、請求項１に記載の照明エンジン。
【請求項６】
前記発光デバイスが回路基板を有し、前記少なくとも一つの光源がLEDであり、当該回路基板は電源を供給する及び/又はLEDを制御するための電子部品を有し、前記回路基板は、当該回路基板により規定される表面に直交して延在するプラグ部品を有する第1の接続デバイスを有する、請求項１に記載の照明エンジン。
【請求項７】
前記光学デバイスは、少なくとも一つの光源に対向している少なくとも一つのレンズを有する、請求項１に記載の照明エンジン。
【請求項８】
前記発光デバイスが前記主表面上に延在しており、前記光学デバイス及び前記発光デバイスが複数の取り付け場所において互いに接続されており、前記主表面上にある取り付け場所の各々の直行射影が各々の前記光源からオフセットしている、請求項１に記載の照明エンジン。
【請求項９】
前記発光デバイスが貫通孔を有し、前記光学デバイスが該孔を貫通するピンを有し、
溶着部位が、前記貫通孔を介して前記発光デバイスから突出している前記ピンの部分と、前記発光デバイスと前記光学デバイスとの間と対抗する前記発光デバイスの面と、の間に設けられている、請求項８に記載の照明エンジン。
【請求項１０】
請求項１乃至９の内の何れか一項に記載の照明エンジンと、
前記照明エンジンを支持するための支持保持具と、
を有する照明エンジンであって、前記支持保持具が磁性体を有し、当該磁性体は、前記照明エンジンを前記支持保持具に磁気的に取り付けるために、前記照明エンジンの少なくとも一つの第1の磁性素子と当該磁性体とが互いに磁気的に作用するよう適応される、照明エンジン。
【請求項１１】
前記磁性体が、1つの第1の磁性素子と向かい合っている少なくとも一つの第2の磁性素子から成る、請求項１０に記載の照明エンジン。
【請求項１２】
少なくとも一つの前記第1の磁性素子が永久磁石から作られており、少なくとも一つの第2の磁性素子が軟磁性体から作られている、請求項１１に記載の照明エンジン。
【請求項１３】
少なくとも一つの突出しているエレメントが、前記照明エンジンと接合する場所にある前記支持保持具の表面から突出しており、前記支持保持具と接合する場所にある前記照明エンジンの表面が、前記突出エレメントを収納するよう設計された少なくとも一つの開放された空洞を有する、請求項１０に記載の照明エンジン。
【請求項１４】
前記磁性材が、一つの第1の磁性素子と対向している少なくとも一つの第2の磁性素子から成り、少なくとも一つの前記突出エレメントが第2の磁性素子の突出部である、請求項１３に記載の照明エンジン。
【請求項１５】
前記光源がLEDであり、前記照明エンジンの前記発光デバイスが第1のプラグ部品を含む第1の接続デバイスを有する回路基板であり、当該第1のプラグ部品は、当該回路基板により規定される面に直交して延在し、前記照明エンジンが前記支持保持具にアッセンブルされるとき、前記第1の接続デバイス及び前記第2の接続デバイスのうちの一方が他方へと電気的にそれぞれ接続されるよう、前記支持保持具が前記表面に直交して延在するプラグ部品を有する第2の接続デバイスを有する、請求項１０に記載の照明エンジン。
【発明の詳細な説明】
【技術分野】
【０００１】
本発明は、
−  少なくとも一つの光源を有する発光デバイスと、
−  当該発光デバイスに取り付けられた光学デバイスと、を有する照明エンジンに関する。
【０００２】
斯様な照明エンジンの発光デバイスは、光源として少なくとも1個の発光ダイオード（LED）と、当該LEDを担持し、LEDに電源を供給し、LEDを制御するであろう回路基板と、を有する。
【０００３】
通常、斯様な照明エンジンは、電力が照明エンジンへと供給される担持部（キャリア）によって照明器具内に保持される。LED照明器具の場合、このキャリアがヒートシンクのような放熱器として構成されることもでき、LEDからの熱の更なる放散ができる。
【０００４】
本発明は、照明エンジンのキャリアへの連結に特に関する。
【背景技術】
【０００５】
照明エンジンをキャリアに取り付けるために、ネジ止めであるとか、照明エンジンとキャリアとの間に接着層を備えるなどの種々異なる技術が知られている。
【発明の開示】
【発明が解決しようとする課題】
【０００６】
これらの取り付け技術は追加の工具及び/又は器具を必要とし、これ故実施するのに便利ではない。
【０００７】
米国特許公開公報US 2009/0086478は、熱放散フレーム（即ち前記キャリア）に磁気的に取り付けられたLEDモジュール（即ち照明エンジン）を有する発光システムを開示している。当該磁気取り付け部は、上記フレームに磁性体（永久磁石又は軟磁性体）を備え、LEDモジュールに（永久磁石又は軟磁性体から作られた）磁性素子を備えることによって得られる。
【０００８】
これ故、上記公報は、工具又は接着材を必要とすることなくユーザがLEDモジュール及びフレームを非常に容易に取り付け且つ取り外すことができる発光システムを提案している。
【０００９】
当該LEDモジュールは、LEDチップと同LEDチップを担持する基部とを有しており、当該基部は、LEDチップの電力供給が可能な電気導通路と、誘電材と、磁性素子とを有し、前記磁性素子がLEDチップとフレームとの間に位置するように配置される。
【００１０】
これ故、当該発光システムは、三つの積み重ねられたエレメント（LEDチップ、基部、及びフレーム）から作られている。
【００１１】
さらに磁性素子は、LEDチップからフレームへと熱を伝導するために、熱導電性の材料から作られており、したがって熱放散に著しく貢献する。効果的な熱伝導の要件を満たすために、磁性素子に埋め込まれた磁性体の大半は十分に大きくなければならない。
【００１２】
更にまた、LEDチップ、磁性素子、及び（導電性で且つ誘電性である）フレームの間に中間材料が存在することに起因して、熱放散は最適状態にはない。
【課題を解決するための手段】
【００１３】
本発明は、第1の実施例による照明エンジンを提案することによって従来技術がもつ上述の課題を解決することを目的とする。当該照明エンジンは、
−    少なくとも一つの光源を有する発光デバイスと、
−    当該発光デバイスに取り付けられた光学デバイスと、
−    発光デバイスと光学デバイスとの間にある少なくとも一つの第1の磁性素子と、を有する。
【００１４】
何ら限定をすることもなく、第1の磁性素子は軟磁性体（例えば鉄）でもよいし、及び/又は永久磁石（例えばNdFeB、フェライト、SmCo、AlNiCo等）でもよいし、及び/又は軟磁性体から作られたコアを備えているであろう電磁石でもよい。
【００１５】
この第1の磁性素子によって、ユーザは特定の工具及び接着材を必要とすることもなく、適応された磁性体を含む支持保持具に照明エンジンを取り付け且つ取り外すことができる。例えば第1の磁性素子が軟磁性体（例えば鉄）から作られていて、適応される磁気材料が永久磁石でもよく、又は、第1の磁性素子が永久磁石から作られていて、適応される磁性体が軟磁性体でもよく、又は、第1の磁性素子が第1の極性をもつ第1の永久磁石から作られていて、適応される磁気材料が第1の極性と同じ極性である第2の極性をもつ第2の永久磁石であり、第1の磁性素子及び/又は支持保持具は、軟磁性体から作られたコアを備えているであろう電磁石を有してもよい。
【００１６】
前記支持保持具及び光学デバイスは通常発光デバイスの両側にあり、本発明による照明エンジンの第1の磁性素子は発光デバイスと支持保持具との間に位置しているのではなく（よって従来技術の積層構造を回避しており）、発光デバイスと光学デバイスとの間にあるインタフェース部の、発光デバイスと対向する面に位置している。これ故、本発明による照明エンジンに固有な構造に起因して、第1の磁性素子は、（例えば光源からオフセットしていて）照明エンジンの体積を著しく増すことのない照明エンジンの場所（例えば照明エンジンがより薄くなっている場所）に設けられる。更に、第1の磁性素子が光源と支持保持具との間に必ずしも位置するわけではないので、（例えば光源がLEDであり、支持保持具がヒートシンクなどの熱放散器である場合のように）同素子が光源からの支持保持具を通した熱放散に必ずしも関与しなければならないというわけではなく、したがって第1の磁性素子の材料が熱伝導材から選択される必要はない。これ故照明エンジンの設計者は、第1の磁性素子に対して選択される材料に関して、より多くの選択肢がある。更に、第1の磁性素子の大半が最小化され、これにより照明エンジンの体積及び重量を限定する。
【００１７】
更にまた、第1の磁性素子を光学デバイスと発光デバイスとの間に挟むことによって、光源から支持保持具を通した熱放散を妨げることがある第1の磁性素子を照明エンジン内に維持するための手段又は接着材を必要とすることもなく、第1の磁性素子が保持されることができる。更に、時間と共に信頼性が疑問となる粘着性の接着剤を有する照明デバイスに対して、本発明は当該照明デバイスの信頼性を改善する。
【００１８】
オプションで、照明エンジンは更に請求項４の記載に従う。光学デバイス及び/又は発光デバイス内に斯様な空洞を備えることによって、第1の磁性素子が当該空洞に収容されることができ、同素子を（機械的、化学的、等々の）外乱から保護する。更に、この構成によって照明エンジンのサイズ及び体積に対する第1の磁性素子の存在の影響を最小化できる。
【００１９】
オプションで、照明エンジンは請求項５の記載に従う。斯様なオフセットを備えることによって第1の磁性素子は光源から後退し、光源と前記支持保持具との間の熱伝達に干渉することはない。更に、この態様によって光デバイス/光源/第1の磁性素子/支持保持具の扱い難く且つ複雑な積み重ねが回避され、これ故照明エンジンが、より扱い難くなることはない。
【００２０】
オプションで、照明エンジンは請求項６の記載に従う。特に回路基板の、第1の磁性素子と接触するための専用のエリアが、あらゆる回路無しで提供される。これ故、同回路基板は第1の磁性素子が回路と接触しない態様で製造されることができる。更にまた同回路基板は、磁気−電気の複数の構成を規定する複数の態様で設計されることができる。特に第1の磁性素子は、あらゆる水平方向への熱放散を回避し、及び/又は電子部品との磁気干渉を回避するために、熱源及び/又は電子部品から距離を置いた場所に配置できる。オプションで、磁気干渉を回避するために、幾つかの磁気遮蔽部が第1の磁性素子の周囲の少なくとも一部に設けられることが可能である。しかしながら出願人は既に、斯様な磁場がLED動作上で悪影響をもつことはない、又はごく僅かな悪影響しかもたないことに気づいた。
【００２１】
この具体例によって、照明エンジンの外部電源への、及び恐らくは外部コントローラへの（回路基板を横断する）電気的な接続が可能になる。この接続は、水平方向（即ち回路基板の表面と平行な方向）への接続と比べてより扱い難いことはない。加えて、請求項１５に記載しているように、幾つかの被接続デバイスも支持保持具に備えることができる。これ故、支持保持具及び照明エンジンが、回路基板を横断して機械的且つ電気的に組み立てられる。更に、支持保持具及び/又は照明エンジンが、一つの部品を他の部品へ組込むのを支援するための幾つかの案内手段を有する場合、対応する第1のプラグ部品と第2のプラグ部品の正しい位置合わせを許容するプラグ自身の横断構造に起因して、電気プラグが、この機械的な組み立て部品によって案内されることもできる。
【００２２】
オプションで、照明エンジンは請求項７の記載に従うよう構成され、光源から発された光のパラメータ（形状、照度、その他）が、所望の照明効果に従うよう調整されることができる。特に、本発明によって光学設計者が自由に（複数の）光学レンズを設計できる。例えば、レンズは収束性のジオプトリ及び/又は発散性のジオプトリをもつ球形でもよいし、2次曲面でもよいし、国際特許公開公報WO 2008/122941に記載のレンズでもよい。
【００２３】
オプションで、光強度を広げ及び/若しくは増すため、並びに/又は照明エンジンにより発された光を減光及び/若しくは調光するために、光源（例えばLED）のアレイ又はマトリクスが照明エンジンに提供されることができる。回路基板と関連して、複数の照明効果が設計され且つ制御されることができる。
【００２４】
オプションで、照明エンジンは請求項８の記載に従って組み立てられる。発光デバイスは、複数の取り付け用の局所的エリアにおいて光学デバイスへと組み付けられる。これらの取り付け用の局所的エリアの均一な分布を照明エンジンの主表面上に提供することによって、取り付けが均一に行われることができる。更にまた、取り付けに要する力が、複数の小さな局所的エリアを通して照明エンジン全体に広げられるよう意図されるので、各々の局所的な取り付けが、マクロな取り付けに対してほんの僅かなエネルギしか必要としない取り付け技術により実施されることができる。これ故この技術を用いた場合、（例えば発光デバイスの電気的及び回路的な）損傷の問題が最小化されることができる。局所的な取り付けエリアが光源からオフセットされることと比較しても、この損傷又は混乱のリスクは一層最小化され、これ故、取り付けが行われたときに生じる何らかのリスクから光源を保護することになる。オプションで、この取り付けは請求項９に記載の溶着により実施される。光学デバイスを斯様な発光デバイスの「背面」に溶着することによって、（光源、恐らくは幾つかの回路、及び電子部品を有し、光学デバイスと接触している）発光デバイスの「前面」が、溶着作業から保護される。
【００２５】
第2の実施例によれば、本発明は請求項１０に記載の照明デバイスを提案しており、同デバイスは前記照明エンジンと、同照明エンジンを支持する支持保持具とを有する。照明エンジンは第1の磁性素子のおかげで支持保持具に磁気的に取り付けられ、磁性体は支持保持具内に設けられている。この支持保持具は、照明エンジンからの熱、特に（複数の）光源からの熱を放散させるヒートシンクでもよい。この場合、これまでに記したように第1の磁性素子を発光デバイスと支持保持具との間に設けるのを回避することによって熱放散が改善される。
【００２６】
オプションで、支持保持具内にある前記磁性体が、一つの第1の磁性素子又は各々の第1の磁性素子に対応して向かい合っている少なくとも一つの第2の磁性素子に含有される。第2の磁性素子を対応する第1の磁性素子の前に置くことによって、第2の磁性素子のサイズ、体積、及び質量が、照明エンジンと支持保持具との間の限定された磁気吸引力を得るために最適化されることができる。これ故、支持保持具内にある磁性体の量及びコストが最小化されることができる。更にまた、支持保持具内にある熱放散材の量が最大にされることができ、よって熱放散の効率を改善する。更に、第1の磁性体及び第2の磁性体が、それぞれ照明エンジン及び支持保持具の上にそれぞれ均一に配置された場合、磁気吸引力も照明エンジンと支持保持具との間にあるインタフェース部上でしかるべく均一に配置され、より効率的な取り付けとなる。代替的には、第1の磁性素子及び第2の磁性素子が前記インタフェース部で均一ではない吸引力を得るよう不均一に配置されてもよい。支持保持具の一部が照明デバイスの他の部分よりも重い場合は後者が便利である。これ故、このより重い部分に働く吸引力は、より重くない部分に働く吸引力とは異なることがある。
【００２７】
オプションで、少なくとも第1の磁性素子の一つが永久磁石から作られ、且つ少なくとも第2の磁性素子の一つが軟磁性体から作られる。こうすることにより、第1の磁性素子のサイズが最小化され、これ故照明エンジンの体積/質量が最小化されることもできる。
【００２８】
オプションで、突出しているエレメントが、照明エンジンを伴うインタフェース部に位置する支持保持具の表面から少なくとも突出し、支持保持具を伴うインタフェース部に位置する照明エンジンの表面が、この突出エレメントを収容するように設計された少なくとも一つの開放型の空洞（凹部、opened cavity)を有する。突出エレメントが支持保持具に対する照明エンジンの良好な位置決めを可能にする。これは、上述の接続用の複数の横断しているエレメント間の良好な電気的接続を手助けすることもできる。特定の事例では、この突出エレメントは第2の磁性素子の突出部でもよく、したがって第1の磁性素子及び第2の磁性素子の間の磁気吸引力が更なる支援を位置決めに与え、斯様な吸引力は、製造者又は機械による支持保持具上への照明エンジンの正しい位置決めへと導く。更にまた、この特定の構成は第1の磁性素子と第2の磁性素子との間の近接した接触を可能にし、これ故両者の間の磁気引力を最大にして、よって照明エンジンの支持保持具への取り付けを強化する。
【００２９】
用語「照明エンジン」の使用が本発明を限定することはなく、概括的に理解されねばならない点に留意されたい。例えば、用語「照明エンジン」は、説明部分及び請求項の至る所で、用語「照明モジュール」と何ら限定なしで置き換えられることが可能である。
【図面の簡単な説明】
【００３０】
【図１】本発明の例示的な実施例による照明デバイスの最上部の斜視図である。
【図２】照明エンジンがヒートシンクから離隔されている状態にある、図1による照明デバイスの分解された上面斜視図である。
【図３】図1による照明デバイスの平面図である。
【図４】図3の切断面IV−IVに従う図1の照明デバイスの断面図である。
【図５】図4の部分100の拡大図である。
【図６】本発明の例示的な実施例による照明エンジンの最上部の一部の斜視図である。
【図７Ａ】複数のレンズを有する2枚の光学帯の底面の斜視図である。
【図７Ｂ】2枚の並べられた光学帯に第1の磁性素子が取り付けられる様子を示す。
【図７Ｃ】並べられた複数の光学帯に発光デバイスが取り付けられた照明エンジンの底部の斜視図を示す。
【図８Ａ】照明エンジンを組み立てるために、光学帯を発光デバイスにピン及び孔を用いて取り付ける様子を上部から見た斜視図である。
【図８Ｂ】照明エンジンを組み立てるために、光学帯を発光デバイスにピン及び孔を用いて取り付ける様子を底部から見た斜視図である。
【発明を実施するための形態】
【００３１】
図1から図6は、照明デバイス10に対応する本発明の具体的な実施例を描いており、同デバイスは、照明エンジン40と、当該照明エンジン40を支持する支持保持具50と、を有する。照明エンジン40は、互いに取り付けられた光学デバイス20と発光デバイス30とを備えている。
【００３２】
この具体的な実施例による発光デバイス30は、光源（図示せず）として発光ダイオード「LED」を有する。発光デバイス30は、LEDに対する電源と、恐らくは制御信号とを分配するよう構成された回路と、恐らくは幾つかの電子部品とを有する回路基板も有する。回路基板は信号及び/又は供給電力を制御し、調整し、及び/又は調和させるための幾つかの電子部品も有する。当該回路基板は例えば発光デバイス30の末端部分31に第1の接続デバイス61を備えている。外部の電源及びコントローラ（図示せず）から電源供給部へ、恐らくは制御信号供給部へ、回路基板へ、及びLEDへと接続するために、この第1の接続デバイス61は、対向する接続デバイス62と接続されるよう配置される。
【００３３】
発光デバイス30は一つ又は複数のLEDを有する。後者の場合、これらのLEDは行又はマトリクスに従って配置され、行又はマトリクスの一つのセルは一つ又は複数のLEDを有する。
【００３４】
オプションで、発光デバイス30は、概して主表面、好ましくは平面に沿って延在する。
【００３５】
光学デバイス20は、照明エンジン40が波長、形状、寸法、輝度、明るさ、及び方向などの特定の特性を有する幾つかの光ビーム又は照射光を発するよう、LEDによって生成された光エネルギの少なくとも一部が光学デバイス20中を伝播できる光学構造と特性とを有している。特に幾つかのレンズ21は、LED又はLEDのグループを収容するために内部空洞（即ち入射側のジオプトリ）を具備している。出射側のジオプトリはレンズ21の外部形状によって決まる。入射側のジオプトリ及び出射側のジオプトリが、得られるべき照明効果に従って設計される。特に、入射側のジオプトリ及び出射側のジオプトリは如何なる表面、例えば半球状でもあってもよく、2次曲面でもよく、LEDの光学中心線と直交する面又は軸に関して対称でもよく、LEDの光学中心線と平行する面及び/又は軸に関して対称でもよく、当該面は軸に関して非対称でもよく、発散及び/又は収束してもよく、又はこれらの組み合わせでもよい。本発明のこの具体的な実施例の限定されることのない例が、国際特許公開公報WO 2008/122941にて開示されたような半分「ピーナッツ」状の形を有する幾つかのレンズを使用している。レンズ21は透明でもよいし若しくは色付きでもよく、又はLEDにより発される光の波長を変えることが可能な幾つかのエレメントを有することができる（斯様なエレメントが例えば発光性の物質を含んでいてもよい）。光学デバイス20の複数のレンズ21の間には例えば平坦部などの中間部22が設けられている。これらの中間部22は透明でもよいし若しくは色付きでもよく、又はLEDにより発される光の波長を変えることが可能な幾つかのエレメントを有することができる（斯様なエレメントが例えば発光性の物質を含んでいてもよい）。
【００３６】
光学デバイス20の本体は、同デバイスの光学的な機能に適するどのような材料で作られてもよい。モールド成形技術が当該本体を製造するために例えば使われる。
【００３７】
オプションで、光学デバイス20は好ましくは平面である主表面に沿って概して延在する。
【００３８】
光学デバイス20及び発光デバイス30は、インタフェース部35に沿って互いに取付けられる。インタフェース部35において光学デバイス20を発光デバイス30に良好に付着させて取り付けるために、光学デバイス20は好ましくは発光デバイス30の上面33の形状と概して補完し合う形状を有する底部主表面23を有する。オプションで、これらの表面23及び同33は、図6に描かれているような平坦なインタフェース部35となるよう概して平坦であり、この構成は、インタフェース部35に従って概して延在する、かなり平坦で且つ薄い照明エンジン40を提供する。
【００３９】
第1の磁性素子25は、光学デバイス20と発光デバイス30との間のインタフェース部35に位置する。この第1の磁性素子25は永久磁石（例えばNdFeB、フェライト、AlNiCo、SmCo、その他）である。代替的には、この第1の磁性素子25は軟磁性体（例えば鉄）でもよい。代替的には、この第1の磁性素子は恐らくは軟磁性体から作られたコアを備えた電磁石でもよく、発光デバイス30の回路基板を通じて電力供給され且つ制御される。
【００４０】
オプションで、凹部27が第1の磁性素子25を収容するよう光学デバイス20の底面23に設けられる。
【００４１】
オプションで、第1の磁性素子25の厚さは光学デバイス20の厚さよりも大きく、突起28が凹部27の口金として光学デバイス20及び第1の磁性素子25の上面24に設けられる。この突起又は口金28は、光学デバイス20の製造後に同デバイス20に取り付けられるか、又は光学デバイス20と一体で作られることが可能である。
【００４２】
図7A乃至図7Cによる照明エンジン40を組み立てる方法によって描かれているように、第1の磁性素子25の各々は、対応する光学デバイス20の凹部27に好ましくは置かれ、次に、発光デバイス30が各々の凹部27を少なくとも部分的に閉じるよう、発光デバイス30の上面33が光学デバイス20の底面23に取り付けられる。これ故、第1の磁性素子25の各々が光学デバイス20と発光デバイス30との間に挟まれて、したがって取り外されることができない。オプションで、第1の磁性素子25が保持されるよう係着させる目的で凹部27が設計される。おそらく、接着材の層が加えられるかもしれない。
【００４３】
第1の磁性素子25を同様な態様で収容するために、凹部27に代わって、類似の凹部（図示せず）が発光デバイス30の上面33に設けられてもよい。この構成においては、この凹部を組み立ての際に閉じるのは光学デバイス20である。
【００４４】
代替的には、第1の凹部27が光学デバイス20の底面23に設けられ（示されず）、第1の凹部27と類似する開いたエリアをもつ第2の凹部が、発光デバイス30及び光学デバイス20が組み立てられるときに第1の凹部と第2の凹部とが互いに向き合うよう、発光デバイス30の上面33に設けられる。次に、第1の磁性素子25が、これら二つの向き合っている凹部によって完全に収容される。オプションで、第1の磁性素子25が保持されるよう係着させる目的で、斯様な第1の凹部及び第2の凹部が設計される。おそらく、接着材の層が加えられるかもしれないし、加えられないかもしれない。
【００４５】
図8A及び図8Bは、（第1の磁性素子25がインタフェース部35に置かれたとして）光学デバイス20を発光デバイス30に取り付ける方法を描いている。当該方法は、一方では光学デバイス20の底面23から延在するピン29、同29'、同29"を備え、他方では発光デバイス30を貫通する孔39、同39'、同39"を備えることによって、組み立て時にピン29、同29'、同29"が孔39、同39'、同39"を貫通できるようにする。一旦組み立てられると、各々のピン29の端子部70が、発光デバイス30の底面34にある対応する孔39から突出する。ピン29のこの突出している部分70が、次に発光デバイス30の底面34に取り付けられる。
【００４６】
これらの端子部分70を発光デバイス30の底面34に取り付けるために溶着を用いることができる。代替的には、端子部分70を発光デバイス30の底面34に取り付ける別の方法（例えば接着、超音波溶着など）が実行されてもよい。
【００４７】
オプションで、ピン29の前記端子部分70が弾性体から作られて、同部分はピン29の残りの部分よりも、及び対応する孔39よりも太い。これ故、端子部分70が孔39を完全に越えるまでピン29は孔39に圧入され、光学デバイス20は、これらの端子部分70によって単独で保持されることができる。オプションで、端子部分70を発光デバイス30の底面に取り付ける溶着又は別の方法が、この取り付けを強化するために、且つ発光デバイス30及び特にLEDに対する光学デバイス20の良好な位置決めを確実にするために用いられてもよい。
【００４８】
光学デバイス20及び発光デバイス30が互いに近接して置かれた後、オプションで、光学デバイス20及び発光デバイス30に備えられた対応する向き合った孔32（図6を参照）を貫通するピン29、同29'、同29"が加えられる。ピン29、同29'、同29"を照明エンジン40に取り付ける方法は、溶着、貼り付け、又は他の周知の方法を含む。
【００４９】
図8Aに描かれているように、及び本発明のこの特定の実施例によると、光学デバイス20はレンズ21のマトリクスを規定している普通は板である。当該板は、複数の隣接する光学的な帯板（光学帯）20'から作られており、当該光学帯20'の各々は複数のレンズ21を有する。これらの光学帯20'は光学デバイス20全体を形成するために発光デバイス30上へ並べて取り付けられる。この方法は、光学デバイス20の集合体を発光デバイス30上へ作る手助けをする。
【００５０】
組み立てられた後に、照明エンジン40は照明デバイス10（図1乃至図5を参照）を形成するために支持保持具50に磁気的に取り付けられる。
【００５１】
この支持保持具50が機械的に照明デバイス10を固定する。
【００５２】
支持保持具50は、作動中のLEDから熱を放散させるための手段を有する。支持保持具は、例えばアルミニウムのような良好な熱伝導材料から主に作られている。
【００５３】
照明エンジン40を支持保持具50へと磁気的に取り付けるために、支持保持具50は磁性体も有し、当該磁性体は、照明エンジン40の第1の磁性素子25と同磁性体とが照明エンジン40を支持保持具50に磁気的に取り付けられるよう適応される。
【００５４】
第1の磁性素子25用に選択された材料に応じて、独特に適応された磁性体が支持保持具50に提供される。第1の磁性素子25が永久磁石又は電磁石である場合、適応される磁性体は軟磁性体である。第1の磁性素子25が第1の永久磁石又は第1の極性を有する電磁石から作られている場合、適応される磁気材料は、第1の極性と同じ極性をもつ第2の極性を有する第2の永久磁石である。第1の磁性素子25が軟磁性体である場合、適応される材料は永久磁石である。
【００５５】
この適応される磁性体が、支持保持具50の上にコーティングされることができ、又は支持保持具50に埋め込まれた粉末のこともある。
【００５６】
本発明の具体的な実施例によれば、適応される磁性体が、第1の磁性素子25と向かい合う第2の磁性素子55に含有されている（図5参照）。これ故ユーザは、特定の工具及び接着材を必要とすることなく、非常に容易に照明エンジン40を支持保持具50から取り外し且つ取り付けることができる。
【００５７】
これらの第2の磁性素子55は、支持保持具50内に埋め込まれる。
【００５８】
代替的には、これらの第2の磁性素子55は、支持保持具50の上面54を通して同支持保持具50に固定される。このために幾つかの孔が、この上面54に事前に設けられる。
【００５９】
これらの第2の磁性素子55は、例えば鋲又はネジである。
【００６０】
第2の磁性素子55の上部表面59は、支持保持具50の上面54と同一平面にある。
【００６１】
代替的には、図5に描かれているように、ヘッド部59が支持保持具50の上面54から突出する。この場合、貫通孔37（図6を参照）が、これらの第2の磁性素子55を収容するために発光デバイス30の底面34に設けられる。これ故、第1の磁性素子25は第2の磁性素子55と近接し、よって照明エンジン40と支持保持具50との間に働く吸引力を最大にする。更に、第2の磁性素子55の突出しているヘッド部59と貫通孔37との間の協働により、支持保持具50に対する照明エンジン40の良好な位置決めを助け且つ支援できる。
【００６２】
図5及び図6に描かれているように、貫通孔37の各々は、光学デバイス20が発光デバイス30へと取り付けられた後（図7A乃至図7Cを参照）、第1の磁性素子25を保持可能にするために、対応する凹部27の平均直径よりも小さな平均直径をもっている。
【００６３】
電気コネクタ60を形成するために、第2の接続デバイス62が照明エンジン40の第1の接続デバイス61と接続するよう支持保持具50にオプションで設けられる（図2参照）。照明エンジン40が支持保持具50上に組み立てられたとき、前記第1の接続デバイス63及び第2の接続デバイス64がそれぞれ互いに電気的に接続されるよう、第1の接続デバイス61は、回路基板によって規定される主表面に対して直交に延在する第1のプラグ部品63（例えば突起）を含んでおり、第2の接続デバイス62は、前記表面に対して直交に延在する第2のプラグ部品64（例えば孔）を有する。
【００６４】
この構成では、貫通孔37と第2の磁性素子55の突出しているヘッド部59との間の前記協働が、図2に描かれているように、第1の接続デバイス61と第2の接続デバイス62との間の良好な電気的接続を助け且つ支援する。
【００６５】
第1の接続デバイス61と第2の接続デバイス62との間の接続を完全にするために、取り付けの補助手段68、同69が提供される（図2及び図6を参照）。
【００６６】
第2の接続デバイス62を支持するために、第2の接続デバイス62と同様の高さを有する凹部59が支持保持具50の上面54に設けられる（図2参照）。この凹部59は、第2の接続デバイス62が支持保持具50の上面54から突出することを回避し、これ故、支持保持具50への照明エンジン40の取り付けを妨げるのを回避する。更に、貫通孔56が凹部59の底の部分を通して設けられ、何本かの電力供給ワイヤ及び/又は制御ワイヤが、第2の接続デバイス62の電力供給ポート及び/又は制御ポート65へと接続されることができる。
【００６７】
本発明が図面及びこれまでの説明にて詳細に例示され且つ説明された一方、斯様な例示及び説明は、例示目的又は典型例であるとみなされ、拘束性はなく、本発明が、開示された実施例に限定されることはない。
【００６８】
例えば本発明による照明エンジンが1個のレンズのみを具備している光学デバイスを有し、発光デバイスが一つの光源（例えばLED）のみを有し、及び一つ又は複数の第1の磁性素子が光学デバイスと発光デバイスとの間に挟まれている実施例において本発明を機能させることが可能である。
【００６９】
開示された実施例に対する他のバリエーションが、図面、開示物、及び添付の請求項の学習から、請求された本発明を実施する際に当業者により理解されることができ且つ遂行されることができる。請求項において、単語「有する」が他のエレメント又はステップを除外することはなく、不定冠詞「a」又は「an」が複数を除外することはない。
【図１】
2013516729.tif 000003
【図２】
2013516729.tif 000004
【図３】
2013516729.tif 000005
【図４】
2013516729.tif 000006
【図５】
2013516729.tif 000007
【図６】
2013516729.tif 000008
【図７Ａ】
2013516729.tif 000009
【図７Ｂ】
2013516729.tif 000010
【図７Ｃ】
2013516729.tif 000011
【図８Ａ】
2013516729.tif 000012
【図８Ｂ】
2013516729.tif 000013
【国際調査報告】
2013516729.tif 000014
2013516729.tif 000015